(57)【特許請求の範囲】
【請求項１】
長尺状のバックシートにデザイン印刷が施される印刷工程と、
前記長尺状のバックシート上に吸収体が載置される工程と、
前記長尺状のバックシート及び吸収体の上に、別送される長尺状のトップシートが合流されて載置される工程と、
前記長尺状のバックシート及び前記長尺状のトップシートを所定形状に切断する工程とを具備し、
前記各工程がこの順番に施されることにより、
少なくとも前記トップシートと、前記バックシートと、前記シート間に介在された前記吸収体とにより紙おむつ製品本体が形成され、該紙おむつ製品本体の外部から目視できる部位の、前身頃のウエスト開口端部から後身頃のウエスト開口端部にかけて、前記紙おむつ製品本体の幅方向の全長にわたって前記デザイン印刷が施されて成る紙おむつの製造方法であって、
前記印刷工程は夫々デザインの異なる少なくとも３組の印刷装置を具備して、前記長尺状のバックシートに少なくとも３つのデザイン印刷面から成る前記デザイン印刷を形成すると共に、前記紙おむつ製品本体の幅をＡ、前記デザイン印刷面の幅をＢとしたとき、Ａ＞Ｂ≧１／３Ａなる関係を有する前記デザイン印刷が連続して施されることを特徴とする紙おむつの製造方法。
【請求項２】
長尺状の防水フィルムにデザイン印刷が施される印刷工程と、
別送される長尺状のバックシート上に、前記長尺状の防水フィルムが合流されて載置される工程と、
前記長尺状の防水フィルム上に吸収体が載置される工程と、
前記長尺状のバックシート、前記長尺状の防水フィルム及び吸収体の上に、別送される長尺状のトップシートが合流されて載置される工程と、
前記長尺状のバックシート、前記長尺状の防水フィルム及び前記長尺状のトップシートを所定形状に切断する工程とを具備し、
前記各工程がこの順番に施されることにより、
少なくとも前記トップシートと、前記防水フィルムと、前記バックシートと、前記防水フィルム及び前記トップシート間に介在された前記吸収体とにより紙おむつ製品本体が形成され、該紙おむつ製品本体の外部から目視できる部位の、前身頃のウエスト開口端部から後身頃のウエスト開口端部にかけて、前記紙おむつ製品本体の幅方向の全長にわたって前記デザイン印刷が施されて成る紙おむつの製造方法であって、
前記印刷工程は夫々デザインの異なる少なくとも３組の印刷装置を具備して、前記長尺状の防水フィルムに少なくとも３つのデザイン印刷面から成る前記デザイン印刷を形成すると共に、前記紙おむつ製品本体の幅をＡ、前記デザイン印刷面の幅をＢとしたとき、Ａ＞Ｂ≧１／３Ａなる関係を有する前記デザイン印刷が連続して施されることを特徴とする紙おむつの製造方法。
【請求項３】
前記デザインは色彩、図形、絵柄のいずれかであることを特徴とする請求項１又は請求項２に記載の紙おむつの製造方法。
【請求項４】
前記隣接するデザイン印刷面の境界が斜線あるいは曲線であることを特徴とする請求項１ないし請求項３のいずれかに記載の紙おむつの製造方法。
【発明の詳細な説明】
【技術分野】
【０００１】
本発明は、少なくともトップシートと、バックシートと、これらの両シート間に介在された吸収体とにより紙おむつ製品本体が形成され、この紙おむつ製品本体の外部から目視できる部位にデザイン印刷が施された紙おむつの製造方法、及び、この製造方法により製造された紙おむつ製品を複数個同一パッケージ内に収納してなる紙おむつ製品パッケージに関する。
【背景技術】
【０００２】
紙おむつは、その目的や用途等により種々のサイズや形状のものが製造され、乳幼児から高齢者に至るまでの多くの人に実用されているが、その基本的な構成については大差がなく、例えば図１に要部断面図で示す紙おむつ１においては、着用者の身体に当接する側（以下、「身体側」という）から順に、トップシート２、クレープ紙３等で被覆された吸収体４、バックシート５により紙おむつ製品本体が構成されている。なお、必要に応じ、トップシート２の身体側に立体ギャザー（図示せず）が、また、トップシート２の反身体側にはセカンドシート（図示せず）が、さらにまた、バックシート５の身体側には防水フィルム６が備えられた紙おむつも公知である。
【０００３】
このような紙おむつ１には、通常、美感や下着感を与えて品質向上を図ること、紙おむつの前後方向を表示し着用時の便宜を図ること、あるいは乳幼児の知育やおむつ離れを図ること等の目的で様々なデザイン印刷が、紙おむつ製品本体の外部から目視できる部位に、前身頃のウエスト開口端部から後身頃のウエスト開口端部にかけて、紙おむつ製品本体の幅方向に施されている。なお、本発明におけるデザインとは、絵柄、図形、文字、色彩そのもの、あるいはこれらのいずれかの組合せからなるものを意味する。
【０００４】
従来、このようなデザイン印刷は、印刷のし易さの面からバックシート５の外面に施されることが多かったが、このようにして施されたデザイン印刷面は身体や衣服に直接触れるため、コーティング等により表面を保護しない限り、印刷された箇所が汗で濡れたり擦れたりしてインキが衣服に転写し、あるいは衣服により擦り落とされてしまうという問題があった。このため、最近ではこのデザイン印刷面は、外部から直接触れることができない部位、具体的には、図１に▲印で示すように、バックシート５の身体側面５ａ、あるいは防水フィルム６の身体側面６ａまたは反身体側面６ｂのいずれかに設定されている（例えば、特許文献１参照。）。なお、紙おむつの中には、紙おむつ製品本体の部位に直接印刷を施すもの以外に、バックシート５と吸収体４との間、あるいはバックシート５と防水フィルム６の間に予め所望のデザイン印刷を施したデザインシート（図示せず）を装着した紙おむつも公知である。しかし、この紙おむつの場合には、デザインシートを製造し、装着するための工程が別に必要となり、このため材料費や工程数増により製造コストが大幅にアップすることから、一般には前者の紙おむつが多く製造され、市場に提供されている。
【０００５】
従来、このようなデザイン印刷は、紙おむつ１の製造過程において、グラビア印刷やフレキソ印刷等の公知の種々の印刷方式により紙おむつ製品本体の上述したような所定の部位に印刷される。
【０００６】
しかしながら、このように印刷されるデザインは、通常、同一絵柄や文字、あるいは色彩による同一パターンのデザインが殆どであったため、このようなデザイン印刷が施された紙おむつ、とくにこのような紙おむつ製品を複数個パッケージに収納してなる紙おむつ製品パッケージを消費者が外部から見た場合、このような紙おむつ、あるいは紙おむつ製品パッケージは極めてシンプルで個性のない、換言すれば差別性のない商品として捉えられているのが実情であった。このような消費者のイメージは、紙おむつの商品としての価値を低下させ、これにより紙おむつ製品の販売促進にも影響を与える重要な因子となっていた。
【先行技術文献】
【特許文献】
【０００７】
【特許文献１】特開２００３−７０８３８号公報
【発明の概要】
【発明が解決しようとする課題】
【０００８】
本発明は、上述したような実情に鑑みなされたもので、その目的とするところは、紙おむつの製造方法、及び、この方法により製造された紙おむつ製品を一つのパッケージに収納してなる紙おむつ製品パッケージを消費者が外部から見た場合、これが個性のある極めて多彩な商品、換言すれば魅力的で差別性を有する商品であるとのイメージを消費者に与えることができ、かつ、安価に製造することができる紙おむつの製造方法、及び、紙おむつ製品パッケージを提供することにある。
【課題を解決するための手段】
【０００９】
本発明の上記目的は、長尺状のバックシートにデザイン印刷が施される印刷工程と、前記長尺状のバックシート上に吸収体が載置される工程と、前記長尺状のバックシート及び吸収体の上に、別送される長尺状のトップシートが合流されて載置される工程と、前記長尺状のバックシート及び前記長尺状のトップシートを所定形状に切断する工程とを具備し、前記各工程がこの順番に施されることにより、少なくとも前記トップシートと、前記バックシートと、前記シート間に介在された前記吸収体とにより紙おむつ製品本体が形成され、該紙おむつ製品本体の外部から目視できる部位の、前身頃のウエスト開口端部から後身頃のウエスト開口端部にかけて、前記紙おむつ製品本体の幅方向の全長にわたって前記デザイン印刷が施されて成る紙おむつの製造方法であって、前記印刷工程は夫々デザインの異なる少なくとも３組の印刷装置を具備して、前記長尺状のバックシートに少なくとも３つのデザイン印刷面から成る前記デザイン印刷を形成すると共に、前記紙おむつ製品本体の幅をＡ、前記デザイン印刷面の幅をＢとしたとき、Ａ＞Ｂ≧１／３Ａなる関係を有する前記デザイン印刷が連続して施されることを特徴とする紙おむつの製造方法を提供することにより達成される。
【００１０】
また、本発明の上記目的は、長尺状の防水フィルムにデザイン印刷が施される印刷工程と、別送される長尺状のバックシート上に、前記長尺状の防水フィルムが合流されて載置される工程と、前記長尺状の防水フィルム上に吸収体が載置される工程と、前記長尺状のバックシート、前記長尺状の防水フィルム及び吸収体の上に、別送される長尺状のトップシートが合流されて載置される工程と、前記長尺状のバックシート、前記長尺状の防水フィルム、及び前記長尺状のトップシートを所定形状に切断する工程とを具備し、前記各工程がこの順番に施されることにより、少なくとも前記トップシートと、前記防水フィルムと、前記バックシートと、前記防水フィルム及び前記トップシート間に介在された前記吸収体とにより紙おむつ製品本体が形成され、該紙おむつ製品本体の外部から目視できる部位の、前身頃のウエスト開口端部から後身頃のウエスト開口端部にかけて、前記紙おむつ製品本体の幅方向の全長にわたって前記デザイン印刷が施されて成る紙おむつの製造方法であって、前記印刷工程は夫々デザインの異なる少なくとも３組の印刷装置を具備して、前記長尺状の防水フィルムに少なくとも３つのデザイン印刷面から成る前記デザイン印刷を形成すると共に、前記紙おむつ製品本体の幅をＡ、前記デザイン印刷面の幅をＢとしたとき、Ａ＞Ｂ≧１／３Ａなる関係を有する前記デザイン印刷が連続して施されることを特徴とする紙おむつの製造方法を提供することにより、効果的に達成される。
【００１１】
また、本発明の上記目的は、前記デザインは色彩、図形、絵柄のいずれかであることを特徴とする紙おむつの製造方法を提供することにより、より効果的に達成される。
【００１２】
また、本発明の上記目的は、前記隣接するデザイン印刷面の境界が斜線あるいは曲線であることを特徴とする紙おむつの製造方法を提供することにより、より効果的に達成される。
【発明の効果】
【００１４】
本発明に係る紙おむつの製造方法、及び、この製造方法により製造された紙おむつ製品を複数個同一パッケージ内に収納してなる紙おむつ製品パッケージは、当該紙おむつ製品本体の外部から見える部位の、前身頃のウエスト開口端部から後身頃のウエスト開口端部にかけて、紙おむつ製品本体の幅方向に複数パターンのデザイン印刷が施され、また、紙おむつ製品毎に互いに異なるデザイン印刷が施されているので、これを見た消費者に個性のある極めて多彩な商品、換言すれば魅力的で差別性を有する商品であるとのイメージを与えることができ、これにより紙おむつ製品の販売を促進させることができる。
【００１５】
とくに、複数パターンのデザイン印刷に関し、隣接する印刷面のパターンを相対色に近い近似色をもって施したものは、デザインの変化がより明確化されるので、上述した効果を一層顕著なものとすることができる。
【００１６】
また、デザイン印刷は紙おむつ製品本体の着用者の身体に直接接しない部位に施されているので、この印刷部が転写したり擦り落とされるという心配が全くない。
【００１７】
また、デザイン印刷を曲線状に配置すると、よりバラエティに富んだデザインとなり、デザインの変化がより明確化されるので、上述した効果を一層顕著なものとすることができる。
【００１８】
また、紙おむつ製品パッケージを、透明ないし半透明のシート材とすることにより、消費者は、パターンの異なるバラエティに富んだデザインを有する本発明に係る紙おむつを、紙おむつ製品パッケージの外側から見ることができるので、上述した効果を、より一層顕著なものとすることができる。
【００１９】
さらにまた、上述した本発明に係る紙おむつの製造方法、及び、この製造方法により製造された紙おむつ製品を複数個同一パッケージ内に収納してなる紙おむつ製品パッケージは、従来の製造設備に若干の設備を付加することにより製造することができるので、従来のデザインシートを用いて製造される紙おむつの場合に較べ、製造コストを大幅に低減することができる。
【図面の簡単な説明】
【００２０】
【図１】図１は一般的な紙おむつ製品本体の要部断面図である。
【図２】図２は本発明の一実施例に係る印刷工程の概略側面図である。
【図３】図３は上記工程で印刷されたデザインの一実施例を示す平面図である。
【図４】図４はデザイン印刷の施された紙おむつ製品本体の展開平面図である。
【図５】図５は上記紙おむつ製品本体により形成されたパンツ型紙おむつの斜視図である。
【図６】図６はデザイン印刷の第１変更例を示す紙おむつの正面図である。
【図７】図７はデザイン印刷の第２変更例を示す紙おむつの正面図である。
【図８】図８はデザイン印刷の第３変更例を示す紙おむつの正面図である。
【図９】図９は本発明の他の実施例に係る紙おむつの正面図である。
【図１０】図１０は本発明のさらに他の実施例に係る紙おむつの正面図である。
【図１１】図１１は本発明の一実施例に係る紙おむつ製品パッケージの斜視図である。
【発明を実施するための形態】
【００２１】
以下、本発明の内容を乳幼児（ベビー）用のパンツ型紙おむつ（以下単に「紙おむつ」という）を例に挙げて詳述する。なお、本発明は必ずしも以下の実施形態に限定されるものではなく、特許請求の範囲を逸脱しない範囲において、その構成を種々に変更できることはいうまでもない。
【００２２】
図２は、本発明に係る紙おむつ１１の製造工程におけるデザイン印刷工程２０の概略側面図で、紙おむつ１１の最外面を構成するバックシート１５が印刷工程２０で印刷される状態を示したものである。
【００２３】
このバックシート１５は、デザイン印刷が施された後、別送されるトップシートと合流され、これらの両シート間内部に吸収体が装着された後に所定形状に切断されるが、この製造工程は当分野で周知であるので説明を省略する。
【００２４】
印刷工程２０は、夫々同一構造からなる５組のグラビア印刷装置２１，２２，２３，２４，２５で構成されている。グラビア印刷装置２１は、青色インキ２１ａを収容したインキ槽２１ｂ、着肉ローラ２１ｃ、ドクター２１ｄ、グラビアシリンダー２１ｅ、圧胴２１ｆによって構成され、各回転体２１ｃ、２１ｅ、２１ｆが矢印方向に回転することにより、着肉ローラ２１ｃに付着された青色インキ２１ａがドクター２１ｄによって所定の量に掻き落され、グラビアシリンダー２１ｅと圧胴２１ｆ間を搬送されるバックシート１５の身体側面１５ａに所望のパターンのデザインが印刷される。なお、グラビア印刷装置２２，２３，２４，２５も同様に構成されているので、以下はグラビア印刷装置２１と対応する同一の構成部品には対応する同一の符号を付して説明する。
【００２５】
本実施形態では、５種類の色彩を用い、各色彩を矩形状に印刷してなるカラーデザインが採用されている。この５種類の色彩には、青色インキ２１ａ、紫色インキ２２ａ、緑色インキ２３ａ、赤色インキ２４ａ、紺色インキ２５ａが用いられ、これらのインキは、夫々インキ槽２１ｂ、２２ｂ、２３ｂ、２４ｂ、２５ｂに収容されて印刷に供せられる。
【００２６】
図３は、前記印刷工程２０でデザインが印刷されたバックシート１５を身体側面１５ａから見た平面図である。図３において、Ｌはバックシート１５の幅、すなわち本紙おむつ１１を展開して平面から見たときの長手方向寸法、Ａは本紙おむつ１１の製品幅寸法、Ｂはデザイン印刷幅寸法を夫々示している。なお、点線２６はこのバックシート１５が後工程で所定の製品形状に切断されるときの切断位置を示したものである。
【００２７】
図示するように、バックシート１５の身体側面１５ａには、前記グラビア印刷装置２１〜２５によって、順次、青、紫、緑、赤、紺の各色彩による矩形パターンのカラーデザイン印刷が同じサイクルで連続して施される。
【００２８】
通常、長手方向寸法Ｌは３０〜１００ｃｍ、製品幅寸法Ａは２６〜７０ｃｍの範囲に設定される。本発明においては、印刷幅寸法Ｂは製品幅寸法Ａと関係付けられ、Ａ＞Ｂ≧１／３Ａとなるように設定されている。これは、Ｂ＜１／３Ａに設定すると、デザイン印刷面が細かくなり過ぎて同一のカラーデザインが同一の紙おむつ製品の中に入り込んで複雑化してしまい、逆に、Ａ＜Ｂに設定すると単色のデザイン印刷面となる紙おむつが現れ、カラーバリエーションが得られなくなるからである。
【００２９】
このようにしてデザイン印刷を施すと、印刷が１サイクルを終了するまでの間、隣り合う紙おむつ１１は夫々デザインの異なったものとなるので、バラエティに富んだデザインを有する紙おむつ１１を同一の印刷工程２０で連続して製造することができる。
【００３０】
なお、本実施形態のように色彩のみでデザインを施す場合には、隣接する印刷面のパターンを相対色に近い近似色で印刷することが望ましい。このようにすると、明確なカラーバリエーションと美しさを出すことができ、これにより紙おむつ製品の商品価値を高めることができる。
【００３１】
また、以上の印刷工程２０は、従来の印刷工程に若干の印刷装置を付加することで実現できるので、別工程を設ける必要がなく、これにより紙おむつ１１を安価に製造することができる。
【００３２】
図４は、上述したようにしてデザイン印刷が施され、最終的に所定の形状に切断された紙おむつ１１の製品本体を展開して外側（反身体側）から見た平面図で、図３の略中央部に示されるバックシート１５の切断部分に該当するものである。図示するように、本実施形態に係る紙おむつ１１では、製品幅寸法Ａに対し印刷幅寸法Ｂの緑色印刷面が中央部に縦長状に配置され、この側部の夫々には、印刷幅寸法１／３Ｂの紫色印刷面と赤色印刷面とが対称的に配置されてなるデザインが施されている。
【００３３】
図５は、図４に示す紙おむつの製品本体を長手方向中央部から折り畳み、開放側端部を溶着してパンツ型の紙おむつ１１を完成させたときの斜視図である。
【００３４】
周知のように、紙おむつ１１の最外層に設けられるバックシート１５は体液不透過性裏面材を構成するもので、この材料には、通常、ポリエチレンやポリプロピレン等のオレフィン系樹脂シート等の少なくとも体液を透過しないシート材のほか、ポリエチレンシート等に不織布を積層したラミネート不織布や、さらには防水フィルムを介在して実質的に不透液性を確保した不織布シート等が用いられるが、厚みが薄く、また透明性を有するものであることから、上述したようにデザインがバックシート１５の身体側面１５ａに施されていても、消費者はこのデザインを外部からはっきり見ることができる。
【００３５】
図６は、上述したデザインを色彩のみで構成した紙おむつの第１変更例を示すもので、パンツ型に完成された紙おむつ１１ａを正面から見たものである。図示するように、本紙おむつ１１ａでは、製品幅寸法Ａ１に対し印刷幅寸法Ｂ１の緑色印刷面が略中央部に縦長状に配置され、この左側（正面視右側）に印刷幅寸法Ｂ１の赤色印刷面が、右側（正面視左側）に青色印刷面が配置されてなるデザインが施されている。なお、本実施例では、製品幅寸法Ａ１は３７４ｍｍに、印刷幅寸法Ｂ１は１３０ｍｍに設定されている。また、着用する乳幼児の体長に合わせ、例えばこの製品幅寸法Ａ１を４１４ｍｍに、印刷幅寸法Ｂ１を１５０ｍｍに設定する等、製品幅寸法及び印刷幅寸法は目的や用途に応じ任意に設定することができる。
【００３６】
図７は、上述したデザインを色彩のみで構成した紙おむつの第２変更例を示すもので、パンツ型に完成された紙おむつ１１ｂを正面から見たものである。図示するように、本紙おむつ１１ｂでは、製品幅寸法Ａ２に対し印刷幅寸法Ｂ２の赤色印刷面が略中央部に曲線状に配置され、この左側（正面視右側）に印刷幅寸法Ｂ２の緑色印刷面が、右側（正面視左側）に青色印刷面が、さらにこの青色印刷面に隣接して橙色印刷面が配置されてなるデザインが施されている。なお、本実施例では、製品幅寸法Ａ２は３７４ｍｍに、印刷幅寸法Ｂ２は１３０ｍｍに設定されている。
【００３７】
図８は、上述したデザインを色彩のみで構成した紙おむつの第３変更例を示すもので、パンツ型に完成された紙おむつ１１ｃを正面から見たものである。図示するように、本紙おむつ１１ｃでは、製品幅寸法Ａ３に対し印刷幅寸法Ｂ３１の青色印刷面が略中央部に斜線状に配置され、この左側（正面視右側）に印刷幅寸法Ｂ３２の緑色印刷面が、この緑色印刷面に隣接して赤色印刷面が配置され、また青色印刷面の右側（正面視左側）に橙色印刷面が配置されてなるデザインが施されている。なお、本実施例では、製品幅寸法Ａ３は４１４ｍｍに、印刷幅寸法Ｂ３１は１８０ｍｍに、印刷幅寸法Ｂ３２は１５０ｍｍに設定されている。
【００３８】
上述した各変更例のいずれにおいても、隣接する印刷面のパターンが相対色に近い近似色で印刷され、バラエティに富んだデザインとなっているので、前記紙おむつ１１の場合と同様な効果を得ることができる。
【００３９】
以上の実施例は、デザインを色彩のみで構成した場合であるが、前述したように、このデザインは種々の形態のものに置き換えることができる。
【００４０】
図９は、本発明の他の実施例を示すもので、上記同様にパンツ型に完成された紙おむつ１１ｄを正面から見たものである。図示するように、本紙おむつ１１ｄでは、製品幅寸法Ａ４に対し星形図形２７を有する印刷幅寸法Ｂ４の印刷面が略中央部に縦長に配置され、この左側（正面視右側）に円形図形２８を有する印刷幅寸法Ｂ４の印刷面が、また星形図形２７を有する印刷面の右側（正面視左側）にはハート形図形２９を有する印刷面が配置されてなるデザインが施されている。なお、本実施例では、製品幅寸法Ａ４は４１４ｍｍに、印刷幅寸法Ｂ４は１５０ｍｍに設定されている。このように本紙おむつ１１のデザインを、図形同士の組合せによっても構成することができる。
【００４１】
図１０は、本発明のさらに他の実施例を示すもので、上記同様にパンツ型に完成された紙おむつ１１ｅを正面から見たものである。図示するように、本紙おむつ１１ｅでは、製品幅寸法Ａ５に対し子犬絵柄３０を有する印刷幅寸法Ｂ５の印刷面が略中央部に縦長に配置され、この左側（正面視右側）に兎絵柄３１を有する印刷幅寸法Ｂ５の印刷面が、また子犬絵柄３０を有する印刷面の右側（正面視左側）には小鳥絵柄３２を有する印刷面が配置されてなるデザインが施されている。なお、本実施例では、製品幅寸法Ａ５は３７４ｍｍに、印刷幅寸法Ｂ５は１５０ｍｍに設定されている。このように、デザインを絵柄同士の組合せによっても構成することができる。
【００４２】
上述したように、とくにデザインを種々の図形や動物等の絵柄で構成すると、当該紙おむつを着用する乳幼児に対する知育目的をも達成することができる。
【００４３】
なお、以上の実施例は、いずれもデザインをバックシートの身体側面に施す場合であるが、本発明では、このデザインを図１に▲で示すように防水フィルム６の身体側面６ａ、あるいは反身体側面６ｂに施してもよく、また、必要に応じ、トップシート２の下側に設けられるギャザー押えシート（図示せず）の身体面側に施すようにしてもよい。
【００４４】
図１１は、上述した印刷工程２０を経て製造されたデザインの異なる３種類の紙おむつ１１ｘ、１１ｙ、１１ｚを複数個整列させ、３段積みにしてパッケージ３３の内部に収納してなる紙おむつ製品パッケージ３４の斜視図である。このパッケージ３３は、透明ないし半透明のシート材で製袋されるので、消費者は内部に収納されている紙おむつ１１ｘ、１１ｙ、１１ｚを紙おむつ製品パッケージ３４の外側から見ることができる。上述したように、本紙おむつ製品パッケージ３４は夫々パターンの異なるバラエティに富んだデザインを有する紙おむつ１１ｘ、１１ｙ、１１ｚを一つのパッケージ３３内に収納してなっているので、本紙おむつ製品パッケージ３４は消費者の目に止まり易くなり、また、個性のある商品としてのイメージを消費者に与えることができる。なお、この紙おむつ製品パッケージ３４の包装形態は種々なものに変更できることはいうまでもない。
【産業上の利用可能性】
【００４５】
本発明はパンツ型の紙おむつに限らず、このほかテープ式の紙おむつ、あるいは類似の吸収性物品にも適用することができる。また、印刷方式もグラビア印刷に限らず、このほかフレキソ印刷等の種々の印刷方式を利用することができることはいうまでもない。
【符号の説明】
【００４６】
１，１１，１１ａ〜１１ｅ，１１ｘ，１１ｙ，１１ｚ  （パンツ型の）紙おむつ
２                                トップシート
３                                クレープ紙
４                                吸収体
５，１５                          バックシート
６                                防水フィルム
２０                              印刷工程
２１，２２，２３，２４，２５      印刷装置
３３                              パッケージ
３４                              紙おむつ製品パッケージ
【図１】
0004781820.tif 000002
【図２】
0004781820.tif 000003
【図３】
0004781820.tif 000004
【図４】
0004781820.tif 000005
【図５】
0004781820.tif 000006
【図６】
0004781820.tif 000007
【図７】
0004781820.tif 000008
【図８】
0004781820.tif 000009
【図９】
0004781820.tif 000010
【図１０】
0004781820.tif 000011
【図１１】
0004781820.tif 000012